(57)【要約】【課題】  投函口が確実に閉鎖される、防犯や雨仕舞に優れた郵便箱を提供する。【解決手段】  郵便箱本体と、投函口蓋を備え、郵便箱本体は、投函口を有しており、投函口蓋は、フラップ状をなしていて、投函口を閉じる天板部と、天板部の基部を回動自在に軸支する回転軸と、天板部から下方へ延びるアーム部と、アーム部に保持されているおもりを有していて、閉状態において、天板部の先部は回転軸より前側下方に位置しており、投函口蓋の重心と回転軸を含む面のうち回転軸より下側の面と、回転軸を含み回転軸よりも天板部の先部側に位置する水平面がなす角が90°より大きい。【選択図】      図１
2020069322.tif 000002
【特許請求の範囲】
【請求項１】
郵便箱本体と、投函口蓋を備え、
郵便箱本体は、投函口を有し、
投函口蓋は、フラップ状をなしていて、投函口を閉じる天板部と、天板部の基部を回動自在に軸支する回転軸と、天板部から下方へ延びるアーム部と、アーム部に保持されているおもりを有していて、閉状態において、天板部の先部は回転軸より前側下方に位置しており、投函口蓋の重心と回転軸を含む面のうち回転軸より下側の面と、回転軸を含み回転軸よりも天板部の先部側に位置する水平面がなす角が90°より大きいことを特徴とする郵便箱。
【請求項２】
郵便箱本体と、投函口蓋を備え、
郵便箱本体は、投函口を有し、
投函口蓋は、フラップ状をなしていて、投函口を閉じる天板部と、天板部の基部を回動自在に軸支する回転軸と、天板部から下方へ延びるアーム部と、アーム部に保持されているおもりを有していて、閉状態において、天板部の先部は回転軸より前側下方に位置しており、投函口蓋の重心と回転軸を含む面のうち回転軸より下側の面が回転軸を含む鉛直面よりも後側に位置していることを特徴とする郵便箱。
【発明の詳細な説明】
【技術分野】
【０００１】
本発明は、郵便箱に関する。
【背景技術】
【０００２】
従来、特許文献１に示された、投函口蓋がフラップ状をなしている郵便箱は、投函口蓋がヒンジ等によって閉鎖方向に付勢されることで投函口が閉鎖されるが、ヒンジ等の経年劣化や投函口蓋に働く重力によって閉鎖方向の付勢力が弱まり、投函口の閉鎖が不確実になるおそれがあった。そのため、投函口が確実に閉鎖される、防犯や雨仕舞に優れた郵便箱が求められていた。
【先行技術文献】
【特許文献】
【０００３】
【特許文献１】特開２０１７−５５８８７号公報
【発明の概要】
【発明が解決しようとする課題】
【０００４】
本発明は上記実情に鑑み、投函口が確実に閉鎖される、防犯や雨仕舞に優れた郵便箱を提供することを目的とする。
【課題を解決するための手段】
【０００５】
本発明のうち請求項１記載の郵便箱は、郵便箱本体と、投函口蓋を備え、郵便箱本体は、投函口を有し、投函口蓋は、フラップ状をなしていて、投函口を閉じる天板部と、天板部の基部を回動自在に軸支する回転軸と、天板部から下方へ延びるアーム部と、アーム部に保持されているおもりを有していて、閉状態において、天板部の先部は回転軸より前側下方に位置しており、投函口蓋の重心と回転軸とを含む面のうち回転軸より下側の面と、回転軸を含み回転軸よりも天板部の先部側に位置する水平面がなす角のうち、該水平面の下側に形成される角が90°より大きいことを特徴とする。
【０００６】
本発明のうち請求項２記載の郵便箱は、郵便箱本体と、投函口蓋を備え、郵便箱本体は、投函口を有し、投函口蓋は、フラップ状をなしていて、投函口を閉じる天板部と、天板部の基部を回動自在に軸支する回転軸と、天板部から下方へ延びるアーム部と、アーム部に保持されているおもりを有していて、閉状態において、天板部の先部は回転軸より前側下方に位置しており、投函口蓋の重心と回転軸とを含む面のうち回転軸より下側の面が、回転軸を含む鉛直面よりも後側に位置することを特徴とする。
【発明の効果】
【０００７】
請求項１に記載の発明によれば、投函口蓋におもりが設けられ、閉状態において、天板部の先部は回転軸より前側下方に位置しており、投函口蓋の重心と回転軸とを含む面のうち回転軸より下側の面と、回転軸を含み回転軸よりも天板部の先部側に位置する水平面がなす角が90°より大きく形成されるため、投函口蓋が自重によって回動することで投函口蓋が閉鎖方向に付勢されるので、投函口を確実に閉鎖でき、防犯や雨仕舞に優れる。
【０００８】
請求項２に記載の発明によれば、投函口蓋におもりが設けられ、閉状態において、天板部の先部は回転軸より前側下方に位置しており、投函口蓋の重心と回転軸とを含む面のうち回転軸より下側の面が、回転軸を含む鉛直面よりも後側に位置するため、投函口蓋が自重によって回動することで投函口蓋が閉鎖方向に付勢されるので、投函口を確実に閉鎖でき、防犯や雨仕舞に優れる。
【図面の簡単な説明】
【０００９】
【図１】（ａ）は図４（ａ）のＡ−Ａ線断面図、（ｂ）は図１（ａ）の要部拡大図である。
【図２】取出口扉と投函口扉が閉じているときの郵便箱の側面図である。
【図３】取出口扉と投函口扉が閉じているときの郵便箱の正面図である。
【図４】投函口の（ａ）上面図、（ｂ）下面図である。
【図５】投函口蓋の傾きの説明図である。
【図６】投函口蓋の重心位置の説明図である。
【発明を実施するための形態】
【００１０】
以下、本発明の実施の形態を図面に基づいて説明する。なお、以下において前後とは図１に示す通りとし、上下左右とは図３に示す通りとする。本発明の郵便箱は、郵便箱本体１と投函口蓋２を備え、郵便箱本体１は、図１，２に示すように、側面視すると縦長の略長方形の箱状に形成されており、上方の中央の一部が開口され、郵便物６が投函される投函口１１が設けられている。投函口蓋２は、投函口１１を開閉するものであって、投函口１１が閉鎖される閉状態において投函口１１が投函口蓋２により塞がれるように取り付けられている。本発明の郵便箱の設置場所は特に限定されるものではないが、ここでは郵便箱の後側面が外壁や柱などに固定されることで設置される場合を示す。図３は郵便箱を前側から見た正面図である。また、以下の構成説明では投函口１１が投函口蓋２により閉鎖されている閉状態を基準として説明する。
【００１１】
郵便箱本体１は、投函口１１と、投函口扉３と、取出口扉４とを備え、図１、２に示すように、郵便箱本体１は上方、言い換えると投函口１１の前後左右と、郵便箱本体１の下方と、側方とがそれぞれ前側上面部１２、後側上面部１３、左右上面部１４，１４、下面部１５、側壁１６，１７，１７，１８で囲まれた箱状の形状をなし、投函された郵便物６を収容する略直方体状の収容部Ｓが内部に形成されている。投函口１１は、郵便箱本体１の上方の中央の一部が開口されて設けられており、平面視して略長方形状をなしていて、前後左右がそれぞれ前側上面部１２、後側上面部１３、左右上面部１４，１４で囲まれている。
前側上面部１２は前側端部、左右側端部がそれぞれ側壁１６の上側端部、側壁１７，１７の上側前部分と接合されて取り付けられている。前側上面部１２は、図１、２に示すように、投函口蓋２の天板部２１と下端部において当接する垂下片であるストッパー１２ａと、投函口扉３が閉じたときに覆われ、側壁１７，１７の間に亘って設けられている上面部１２ｂと、ストッパー１２ａの上側端部から上面部１２ｂの後側端部の間に亘って設けられる傾斜部１２ｃとを備える。左右上面部１４，１４はそれぞれ左側端部、右側端部が側壁１７，１７の上側中央部と接合して取り付けられている。
後側上面部１３は、図１，２に示すように、後述する投函口扉３が閉じたときに覆われ側壁１７，１７の間に亘って設けられている上面部１３ａと、上面部１３ａの前側端部から垂下して設けられている垂下部１３ｂと、上面部１３ａの後側端部から垂下した面である後面１３ｃと、後面１３ｃの下側端部から後側方向に延び、側壁１７，１７の上側の間に亘って設けられている上面部１３ｄと、垂下部１３ｂの左右両端と中央部分に設けられ、後述する投函口蓋２の回転軸２２を軸支する軸受部１３ｅ，１３ｅ，１３ｅを備える。上面部１３ｄの後側端部は側壁１８の上側端部と接合されている。
投函口扉３は、図１，２に示すように、閉状態において郵便箱本体１の上面及び前側上部と、後述する取出口扉４のダイヤル錠４ａとを覆うように設けられた側面視略Ｌ字状の部材であり、後側上面部１３の上面部１３ａの後側両端にヒンジ３ａ，３ａにより回動自在に取り付けられている。
取出口扉４は、投函された郵便物を取り出す取出口を開閉するために設けられており、図３に示すように、正面視略長方形状をなし、前側上部中央にダイヤル錠４ａを備え、郵便箱本体１の左右の側壁１７，１７の前側下端部に、ヒンジ４ｂ，４ｂにより回動自在に取り付けてある。取出口は、郵便箱本体１の前側の側壁１６の中央の一部が開口されることで形成され、図３に示すように、正面視略長方形状である。ダイヤル錠４ａは、施主側であらかじめ設定した数字にダイヤルを合わせたときに解錠し、施主以外の郵便物の取出しを不可とするものである。
【００１２】
投函口蓋２は、図１（ｂ）に示すように、郵便箱本体１の投函口１１を塞ぐように取り付けられていて、天板部２１と、左右方向に配された回転軸２２と、アーム部２３と、おもり２４とを有している。図１，２に示すように、投函口蓋２は側面視略への字状をなしており、天板部２１の先部２１ａは、郵便箱本体１のストッパー１２ａの下端部に当接するように設けられている。天板部２１の先部２１ａは、回転軸２２よりも前側下方に設けられており、天板部２１は、回転軸２２を含み回転軸２２よりも天板部２１の先部２１ａ側（すなわち回転軸２２よりも前方）に位置する水平面Ｓ１に対して先部２１ａを下にして傾斜している。加えて、前後幅において、投函口蓋２は投函口１１よりも大きく形成されている。回転軸２２は、天板部２１の基部２１ｂの内部を通って郵便箱本体１の左右方向に亘って取り付けられており、回転軸２２の両端及び中央は、郵便箱本体１の３箇所の軸受部１３ｅによって軸支されており、投函口蓋２は回動自在に取り付けられている。アーム部２３は上下面の中央にくびれが設けられた形状をしており、天板部２１の下面中央よりやや前側部分から後側下方へと延びて取り付けられていて、下側端部にはおもり２４が内包されている。おもり２４は円柱状であり、投函口蓋２の左右方向に亘って延びている。図４に示されるように、投函口蓋２はフラップ状をなし、投函口１１に対して左右方向に複数並び、郵便物が投函される際には郵便物に上方から押されることで、郵便物の大きさに合わせて１つ以上の投函口蓋２が開かれる。図４（ａ）に示すように、投函口１１を平面視すると、投函口蓋２は略長方形状であり、天板部２１の基部２１ｂには後側端部の内部に左右方向に亘って延びている回転軸２２が挿通されており、基部２１ｂの後側端部中央は回転軸２２が露出している。図４（ｂ）に示すように、投函口１１を下面視すると、投函口蓋２のおもり２４は回転軸２２よりも後側に設けられている。なお投函口蓋２は、本実施例では金属素材で形成されている。
上記により、投函口蓋２の閉状態において、投函口蓋２の重心Ｗと回転軸２２とを含む面のうち回転軸２２より下側の面Ｓ２と、回転軸２２を含み回転軸２２よりも天板部２１の先部２１ａ側に位置する水平面Ｓ１とがなす角のうち、該水平面の下側に形成される角θは90°より大きい。また、投函口蓋２の重心Ｗと回転軸２２とを含む面のうち回転軸２２より下側の面Ｓ２は、回転軸２２を含む鉛直面Ｓ３よりも後側に位置している。そして、回転軸２２を含み回転軸２２よりも天板部２１の先部２１ａ側に位置する水平面Ｓ１と、回転軸２２を含み天板部２１の上面と平行な面Ｓ４とがなす角φの大きさは、10°以上、30°以下であることが望ましい。また、角φの大きさが10°のとき、回転軸２２を含み天板部２１の上面と平行な面Ｓ４と、投函口蓋２の重心Ｗと回転軸２２とを含む面のうち回転軸２２より下側の面Ｓ２とがなす角Ψの大きさは80°より大きく、角φの大きさが30°のとき、角Ψの大きさは60°より大きい。なお、言い換えると、角Ψとは角θから角φを引いた角である。
【００１３】
次に、投函口１１が閉状態に保たれるために投函口蓋２が閉鎖方向へ付勢される際の、投函口蓋２の重心Ｗに加わるモーメントＭについて図５に基づいて説明する。図５（ａ）〜（ｃ）は、それぞれ投函口蓋２により投函口１１が閉鎖された閉状態、投函口１１が半開の状態、投函口１１が略全開の状態を示す。図５（ａ）〜（ｃ）に示す通り、投函口蓋２の重心Ｗと回転軸２２とを含む面のうち回転軸２２より下側の面Ｓ２と、回転軸２２を含み回転軸２２よりも天板部２１の先部２１ａ側に位置する水平面Ｓ１がなす角θについて、図５（ａ）〜（ｃ）でそれぞれ大きさをθａ、θｂ、θｃとすると、θａ＜θｂ＜θｃの関係となる。また、水平面Ｓ１と、回転軸２２を含み天板部２１の上面と平行な面Ｓ４とがなす角φについて、図５（ａ）〜（ｃ）ではそれぞれ角φの大きさをφａ、φｂ、φｃとすると、φａ＜φｂ＜φｃの関係となる。
図５（ａ）を見ると、角θについては90°＜θａ、角φについては10°≦φａ≦30°である。また、投函口蓋２の重心Ｗと回転軸２２とを含む面のうち回転軸２２より下側の面Ｓ２は、回転軸２２を含む鉛直面Ｓ３よりも後側に位置している。重心Ｗに加わる重力をＦ、投函口蓋２の支点である回転軸２２と重心Ｗの距離をＬとすると、投函口１１の閉状態における、投函口蓋２の重心Ｗに加わるモーメントＭａは、Ｍａ＝ＦＬcos（180°-θａ）となり、モーメントＭａは投函口蓋２に閉鎖方向へ付勢するように加わる。図５（ｂ）は、投函口１１が半開の状態であり、はθａ＜θｂであることから、重心Ｗに加わるモーメントＭａ、Ｍｂの大きさはＭａ＜Ｍｂとなり、投函口１１が閉状態のときより大きい力で投函口蓋２は閉鎖方向へ付勢される。図５（ｃ）は、投函口１１が略全開の状態であり、θｂ＜θｃであることから、投函口蓋２の重心Ｗに加わるモーメントＭｂ、Ｍｃの大きさはＭｂ＜Ｍｃとなり、投函口１１が半開状態のときよりも大きい力で投函口蓋２は閉鎖方向へ付勢される。
ここで、比較例として図６（ａ）に示すように、角φが0°で天板部２１が水平であり、かつ角θが90°以下のとき、言い換えると、投函口蓋２の重心Ｗと回転軸２２とを含む面のうち回転軸２２より下側の面Ｓ２が、回転軸２２を含む鉛直面Ｓ３よりも前側に位置するとき、モーメントＭの向きが後ろ向きとなるため、投函口蓋２は閉鎖方向とは逆方向へ付勢されてしまう。これに比べ、本実施形態では、図６（ｂ）に示すように、角θが90°より大きく、言い換えると、投函口蓋２の重心Ｗと回転軸２２を含む面のうち回転軸２２より下側の面Ｓ２が、回転軸２２を含む鉛直面Ｓ３よりも後側に位置するため、投函口蓋２が閉鎖方向に付勢される。
【００１４】
次いで、前述のように構成した郵便箱による作用効果について述べる。本発明によれば、投函口蓋２におもり２４が設けられ、投函口１１が投函口蓋２により閉鎖される閉状態において、天板部２１の先部２１ａは回転軸２２より前側下方に位置しており、投函口蓋２の重心Ｗと回転軸２２とを含む面のうち回転軸２２より下側の面Ｓ２と、回転軸２２を含み回転軸２２よりも天板部２１の先部２１ａ側に位置する水平面Ｓ１とがなす角θが90°より大きい。言い換えると、投函口蓋２におもり２４が設けられ、投函口１１が投函口蓋２により閉鎖される閉状態において、天板部２１の先部２１ａは回転軸２２より前側下方に位置しており、投函口蓋２の重心Ｗと回転軸２２とを含む面のうち回転軸２２より下側の面Ｓ２が、回転軸２２を含む鉛直面Ｓ３よりも後側に位置する。そのため、投函口蓋２が自重によって回動することで投函口蓋２が閉鎖方向に付勢されるため、投函口１１を確実に閉鎖でき、防犯や雨仕舞に優れる。
【００１５】
また、投函口１１が投函口蓋２により閉鎖される閉状態において、回転軸２２を含み回転軸２２よりも天板部２１の先部２１ａ側に位置する水平面Ｓ１と、回転軸２２を含み天板部２１の上面と平行な面Ｓ４とがなす角φが0°で天板部２１が水平であり投函口蓋２の重心Ｗが回転軸２２よりも前側にある場合は投函口蓋２の重心Ｗに加わるモーメントＭは後ろ向きとなるが、本発明による郵便箱においては、角φが10°以上、30°以下で天板部２１が傾斜しており投函口蓋２の重心Ｗは回転軸２２よりも後側にあるので、投函口蓋２の重心Ｗに加わるモーメントＭは常に閉鎖方向となるため、投函口１１を確実に閉鎖でき、防犯や雨仕舞に優れる。また、角φが0°で天板部２１が水平であり投函口蓋２の重心Ｗが回転軸２２よりも後側にありモーメントＭが閉鎖方向となる場合と比べても、本発明による郵便箱においては角φが10°以上、30°以下で天板部２１が傾斜しており、角φが0°で天板部２１が水平のときと比べてより後側に重心Ｗが位置するので、角φが0°で天板部２１が水平のときに比べて閉鎖方向へのモーメントＭは大きくなるので、投函口蓋２は閉鎖方向へより強く付勢されるため、投函口１１を確実に閉鎖でき、防犯や雨仕舞に優れる。
【００１６】
さらに、投函口蓋２はフラップ状をなし、投函口１１に対して左右方向に複数並び、郵便物が投函される際には、郵便物に上方から押されることで、郵便物の大きさに合わせて１つ以上の投函口蓋２が開かれ、投函される郵便物が当接する投函口蓋２のみが下方に回動し開き、当接しない投函口蓋２は閉鎖方向に付勢され閉じたままであるので、投函される郵便物の左右方向の幅に合わせて投函口１１が開放されることとなり、投函の際、郵便箱外側から収容部５が見える部分が少なく済み、プライバシーが保たれる。加えて、郵便箱本体１にはストッパー１２ａが設けられており、投函口蓋２の天板部２１により投函口１１が閉じられているとき、天板部２１の先部２１ａはストッパー１２ａに引っ掛かってそれ以上上方へは回動しないため、投函口１１から手を入れ、収容部５にある郵便物６を取り出そうとしたとき、人の手に当接した投函口蓋２のみが下方に回動し開き、当接しない投函口蓋２は閉鎖方向に付勢され閉じたままであり、投函口１１から郵便物６を取り出そうとしても、閉じたままの投函口蓋２はストッパー１２ａにより上方へ回動しないので郵便物６は閉状態の投函口蓋２に引っ掛かって取り出せないことから、防犯性に優れる。
【００１７】
本発明は、上記の実施形態に限定されない。例えば、投函口蓋の数は単一であってもよい。また、特許請求の範囲内であれば、適宜変更することができ、例えば、郵便箱本体は、上記実施形態では側面視または正面視で略長方形状のものであったが、郵便物の投函や収容の妨げとならない形状であれば限定されるものではない。
【符号の説明】
【００１８】
１      郵便箱本体
１１    投函口
２      投函口蓋
２１    天板部
３      投函口扉
４      取出口扉
５      収容部
６      郵便物
【図１】
2020069322.tif 000003
【図２】
2020069322.tif 000004
【図３】
2020069322.tif 000005
【図４】
2020069322.tif 000006
【図５】
2020069322.tif 000007
【図６】
2020069322.tif 000008